(57)【特許請求の範囲】
【請求項１】
被印刷テープが巻かれたテープ供給リールを内蔵し、該被印刷テープが該テープ供給リールから繰り出される一方、該テープ供給リールに巻き戻されて、複数色のインクで重ね印刷が行われる第１のテープカセットと、被印刷テープが巻かれたテープ供給リールを内蔵し、該被印刷テープが該テープ供給リールに巻き戻されることなく繰り出されて、印刷が行われる第２のテープカセットとが選択的に着脱自在に装着される印刷装置に設けられ、前記第１のテープカセットのテープ供給リールを巻き戻し駆動するテープ巻戻構造であって、
前記第１のテープカセットが装着された場合は、該第１のテープカセット内のテープ供給リールに対し巻き戻し駆動力が伝達可能な状態となるように係合し、前記第２のテープカセットが装着された場合は、該第２のテープカセット内のテープ供給リールに対し巻き戻し駆動力が非伝達状態となるようになしたテープ巻戻機構を備えたことを特徴とするテープ巻戻構造。
【請求項２】
前記テープ巻戻機構はテープ巻戻軸を備えており、該テープ巻戻軸の外周面には係合部が軸方向に沿って設けられ、
前記第１のテープカセットの前記テープ供給リール内には前記係合部が係脱自在に係合する係止部が設けられ、
前記第２のテープカセットの前記テープ供給リールは前記係合部が非係合状態で前記テープ巻戻軸が挿入する形状に形成されている、
ことを特徴とする請求項１記載のテープ巻戻構造。
【請求項３】
前記テープ巻戻機構は、駆動源からの巻き戻し駆動力によって回転する回転軸と、該回転軸にこれと一体的に回転するとともに軸方向にスライド自在に設けられ、かつ外周面に係合部が軸方向に沿って設けられた駆動伝達部材と、該駆動伝達部材を前記テープ供給リール内に向けて付勢する付勢部材とからなり、
前記第１のテープカセットの前記テープ供給リール内には前記係合部が係脱自在に係合する係止部が設けられ、
前記第２のテープカセットの前記テープ供給リールは前記回転軸のみが挿入する小径部を有している、
ことを特徴とする請求項１記載のテープ巻戻構造。
【発明の詳細な説明】
【０００１】
【発明の属する技術分野】
この発明は、プリンタに使用される被印刷テープを内蔵したテープカセットが着脱自在に装着され、このテープカセット内に被印刷テープを巻き戻すテープ巻戻構造に関する。
【０００２】
【従来の技術】
例えば、所望の情報を被印刷テープに印刷する印刷装置においては、被印刷テープおよびインクリボンを内蔵したテープカセットを着脱自在に装着し、印刷ヘッドに摺接するインクリボンに被印刷テープを重ね合わせ、この状態で印刷ヘッドを情報に応じて駆動し、被印刷テープに所望の情報を順次印刷し、印刷された被印刷テープを所定個所で切断する構造のものがある。
このような印刷装置では、一般に、黒色インクのインクリボンを使用する通常印刷場合、印刷ヘッドで印刷された被印刷テープを順次送り出すだけで、印刷された被印刷テープを巻き戻して再度印刷された個所に印刷をする必要がない。このため、従来の印刷装置では、テープ巻戻構造を採用しておらず、テープカセット内に位置決めボスを設け、この位置決めボスをテープ供給リールに回転自在に挿入させているだけである。
なお、磁気テープを内蔵したテープカセットでは、テープの繰り出しおよび巻き戻しをするために、駆動源からの駆動力によって回転するテープ軸に係合部を設け、テープ軸をテープカセットのテープ供給リールに挿入させて、テープ軸の係合部をテープ供給リール内の係止部に係合させ、これによりテープ軸とテープ供給リールとが常に一体的に回転するようになっている。
【０００３】
【発明が解決しようとする課題】
ところで、最近の印刷装置では、カラー印刷ができるものが開発されている。このカラー印刷装置では、複数色のカラーインクを繰り返し重ね印刷する必要がある。すなわち、カラー印刷では、１つの色インク、例えば青色インクで１回目の印刷を行なった後、この被印刷テープを巻き戻し、次に異なる色インク、例えば赤色インクで２回目の印刷を前回印刷した個所に重ね印刷し、さらにこの被印刷テープを巻き戻して、さらに異なる色インク、例えば黄色インクで３回目の印刷を前回印刷した個所にさらに重ね印刷する必要がある。このため、カラー印刷装置では、印刷した被印刷テープを繰り返し巻き戻すテープ巻戻構造が必要である。
このようなカラー印刷をする印刷装置では、カラー印刷用のテープカセットと通常印刷用（黒色印刷用）のテープカセットの２種類が装着できる構造になっており、このためテープ巻戻構造が磁気テープのようにテープ軸とテープ供給リールとを常に一体的に回転させる構造であると、カラー印刷をしない通常印刷用のテープカセットを装着した場合、一度印刷された被印刷テープを巻き戻してしまい、印刷した個所に別の情報を印刷してしまう恐れがある。
この発明の課題は、巻き戻しを必要とするテープを確実に巻き戻すことができ、巻き戻しを必要としないテープを誤って巻き戻すことがないようにすることである。
【０００４】
【課題を解決するための手段】
この発明は、被印刷テープが巻かれたテープ供給リールを内蔵し、該被印刷テープが該テープ供給リールから繰り出される一方、該テープ供給リールに巻き戻されて、複数色のインクで重ね印刷が行われる第１のテープカセットと、被印刷テープが巻かれたテープ供給リールを内蔵し、該被印刷テープが該テープ供給リールに巻き戻されることなく繰り出されて、印刷が行われる第２のテープカセットとが選択的に着脱自在に装着される印刷装置に設けられ、前記第１のテープカセットのテープ供給リールを巻き戻し駆動するテープ巻戻構造であって、前記第１のテープカセットが装着された場合は、該第１のテープカセット内のテープ供給リールに対し巻き戻し駆動力が伝達可能な状態となるように係合し、前記第２のテープカセットが装着された場合は、該第２のテープカセット内のテープ供給リールに対し巻き戻し駆動力が非伝達状態となるようになしたテープ巻戻機構を備えたから、第１のテープカセットを装着したときには、テープ巻戻機構が第１のテープカセットのテープ供給リールに対し巻き戻し駆動力が伝達可能な状態となり、駆動源からの巻き戻し駆動力によってテープ巻戻機構が駆動され、その駆動力によってテープ供給リールが回転するため、テープを確実に巻き戻すことができ、また第２のテープカセットを装着したときには、テープ巻戻機構が第２のテープカセットのテープ供給リールに対し巻き戻し駆動力が非伝達状態となり、駆動源からの巻き戻し駆動力によってテープ巻戻機構が駆動されても、その駆動力がテープ供給リールに伝達されないため、テープを巻き戻すことがない。
【０００５】
この場合、請求項２に記載のごとく、テープ巻戻軸の外周面には係合部が軸方向に沿って設けられ、第１のテープカセットのテープ供給リール内には係合部が係脱自在に係合する係止部が設けられ、第２のテープカセットのテープ供給リールは係合部が非係合状態でテープ巻戻軸が挿入する形状、例えば係止部が設けられていない形状に形成されていれば、第１のテープカセットを装着したときには、テープ巻戻軸の係合部がテープ供給リール内の係止部に係合するので、テープ巻戻軸の回転がテープ供給リールに伝達されてテープを確実に巻き戻すことができ、また第２のテープカセットを装着したときには、テープ巻戻軸がテープ供給リールに対し非係合状態になるので、テープ巻戻軸の回転しても、その回転がテープ供給リールに伝達されず、テープ巻戻軸が空転し、テープを巻き戻すことはない。
【０００６】
また、請求項３に記載のごとく、テープ巻戻機構が、駆動源からの巻き戻し駆動力によって回転する回転軸と、この回転軸にこれと一体的に回転するとともに軸方向にスライド自在に設けられ、かつ外周面に係合部が軸方向に沿って設けられた駆動伝達部材と、この駆動伝達部材をテープ供給リール内に向けて付勢する付勢部材とからなり、第１のテープカセットのテープ供給リール内に係合部が係脱自在に係合する係止部が設けられ、第２のテープカセットのテープ供給リールが回転軸のみ挿入する小径部を有していれば、第１のテープカセットを装着したときには、回転軸がテープ供給リール内に挿入するとともに、駆動伝達部材もテープ供給リール内に挿入して駆動伝達部材の係合部がテープ供給リール内の係止部に係合するので、回転軸の回転が駆動伝達部材を介してテープ供給リールに伝達され、テープを確実に巻き戻すことができ、また第２のテープカセットを装着したときには、回転軸のみがテープ供給リール内に挿入し、駆動伝達部材は付勢部材の付勢力に抗してテープ供給リールの小径部の外に押し出されるので、回転軸が回転しても、その回転がテープ供給リールに伝達されず、回転軸が空転し、テープを巻き戻すことはない。
【０００７】
【発明の実施の形態】
［第１実施形態］
以下、図１〜図１６を参照して、この発明をカラー印刷が可能な印刷装置に適用した第１実施形態について説明する。
図１はカラー印刷が可能な印刷装置の外観斜視図である。この印刷装置はハンディタイプのものであり、装置本体１を備えている。この装置本体１の上面には、情報を入力するキー入力部２、入力された情報を表示する液晶表示装置などの表示部３、および後述するテープカセット４〜７のいずれかが着脱自在に装着されるカセット収納部８が設けられている。このカセット収納部８内には、印刷ヘッド１０と、この印刷ヘッド１０に対し相対的に接離可能に圧接するプラテンローラ１１と、テープ巻戻軸１２と、リボン巻取軸１３と、カッタ装置１４とが設けられている。なお、プラテンローラ１１、テープ巻戻軸１２、リボン巻取軸１３、およびカッタ装置１４は、装置本体１内に設けられたモータ（図示せず）によって適宜駆動されるようになっている。また、装置本体１には、カセット収納部８を開閉自在に覆う開閉蓋（図示せず）が回動自在に取り付けられている。
【０００８】
図２はテープカセット４〜７のいずれかがカセット収納部８に装着された状態を示す。これらテープカセット４〜７はそれぞれカセットケース２０を備えている。このカセットケース２０内には、被印刷テープ２１が巻かれたテープ供給リール２２、インクリボン２３が巻かれたリボン供給リール２４、およびインクリボン２３を巻き取るリボン巻取リール２５が設けられている。このカセットケース２０は、テープ供給リール２２にテープ巻戻軸１２が挿入し、リボン巻取リール２５にリボン巻取軸１３が挿入し、かつカセットケース６の切欠部２６内に印刷ヘッド１０が配置された状態で、カセット収納部８内に装着される。この状態では、テープ供給リール２２から繰り出された被印刷テープ２１は、カセットケース２０の切欠部２６の個所に供給されて、印刷ヘッド１０とプラテンローラ１１との間を通り、カセットケース２０の右端部から外部に送り出される。また、リボン供給リール２４から繰り出されたインクリボン２３は、カセットケース２０の切欠部２６の個所に供給されて、被印刷テープ２１と重なり合った状態で印刷ヘッド１０とプラテンローラ１１との間を通り、リボン巻取リール２５に巻き取られる。
【０００９】
ところで、被印刷テープ２１には、幅広のテープと幅狭のテープの２種類がある。また、インクリボン２３には、通常の黒色印刷用のインクリボンと、所定長さごとに青色インク部、赤色インク部、黄色インク部、透明なラミネート部などのカラーインク部を順次連続させたカラー印刷用のインクリボンの２種類があり、しかも各インクリボンはそれぞれ幅広のものと幅狭のものとがあり、合計４種類のものがある。これに伴って、テープカセットは、図３に示す幅広のテープカセット４、５と、図４に示す幅狭のテープカセット６、７との４種類がある。
【００１０】
図３に示す幅広のテープカセット４、５は、それぞれカセットケース２０の幅（厚さ）が広く形成され、内部に設けられたテープ供給リール２２、リボン供給リール２４、およびリボン巻取リール２５の各幅もそれぞれ広く形成されている。これら幅広のテープカセット４、５のうち、一方のテープカセット（第１のテープカセット）４は、被印刷テープ２１を巻き戻す必要のあるものであり、リボン供給リール２４に幅広のカラー印刷用のインクリボン２３が巻かれ、テープ供給リール２２に幅広の被印刷テープ２１が巻かれている。他方のテープカセット（第２のテープカセット）５は、被印刷テープ２１を巻き戻す必要のないものであり、リボン供給リール２４に幅広の通常の黒色印刷用のインクリボン２３が巻かれ、テープ供給リール２２に幅広の被印刷テープ２１が巻かれている。
【００１１】
また、図４に示す幅狭のテープカセット６、７は、それぞれカセットケース２０の幅（厚さ）が狭く形成され、内部に設けられたテープ供給リール２２、リボン供給リール２４、およびリボン巻取リール２５の各幅もそれぞれ狭く形成されている。そして、幅狭のテープカセット６、７のうち、一方のテープカセット（第１のテープカセット）６は、被印刷テープ２１を巻き戻す必要のあるものであり、リボン供給リール２４に幅狭のカラー印刷用のインクリボン２３が巻かれ、テープ供給リール２２に幅狭の被印刷テープ２１が巻かれている。他方のテープカセット（第２のテープカセット）７は、被印刷テープ２１を巻き戻す必要のないものであり、リボン供給リール２４に幅狭の通常の黒色印刷用のインクリボン２３が巻かれ、テープ供給リール２２に幅狭の被印刷テープ２１が巻かれている。
【００１２】
このようなテープカセット４〜７の各カセットケース２０の側面には、図２および図５に示すように、各カセットケース２０の装着位置の高さを規制する位置規制突起２７がそれぞれ設けられている。各位置規制突起２７は、図５（ａ）および図５（ｂ）に示すように、それぞれ各カセットケース２０の上面から下側に一定の距離ｓだけ離れた位置に設けられ、カセット収納部８の内壁面に設けられた支持部２８に当接し、これによりカセット収納部８内に装着されるカセットケース２０をその上面が機器本体１の上面とほぼ面一状態となるように支持する。したがって、幅広のテープカセット４、５の各カセットケース２０は、図５（ａ）に示すように、カセットケース２０の下面がカセット収納部８の底面に接近した状態で、カセット収納部８内に配置される。また、幅狭のテープカセット６、７の各カセットケース２０は、図５（ｂ）に示すように、カセットケース２０の下面がカセット収納部８の底面から上方に離れて浮いた状態で、カセット収納部８内に配置される。
【００１３】
ところで、カセットケース２０内のテープ供給リール２２に挿入するテープ巻戻軸１２は、図６および図７に示すように、軸部３０と、この軸部３０の下部に一体的に設けられた歯車３１とからなり、この歯車３１が図８および図９に示すように装置本体１内のシャーシ３２上に立設された固定軸３３にトーションバネ３４によって回転自在に取り付けられている。すなわち、テープ巻戻軸１２は、歯車３１の上面に設けられた軸突起３１ａにトーションバネ３４の中間が装着され、このトーションバネ３４の一端部が歯車３１の上面に設けられた係止部３１ｂに係止され、トーションバネ３４の他端部が軸部３０と歯車３１との境界に設けられた切欠部３１ｃから挿入して固定軸３３の係止溝３３ａに係止されることにより、固定軸３３に回転自在に取り付けられている。この場合、軸部３０は、先細形状に形成され、その先端側に複数の係合溝（係合部）３５が軸方向に沿って形成されている。また、歯車３１は、被印刷テープ２１が繰り出されるときなどの通常時に自由に回転し、巻き戻しのときに図示しないモータの回転が伝達歯車を介して伝達されて強制的に回転する。
【００１４】
このテープ巻戻軸１２が挿入するカセットケース２０内のテープ供給リール２２は、図１０に示すように、筒軸４０の上下部に被印刷テープ２１の両側縁をガイドするガイド板４１がそれぞれ一体に設けられた構造になっている。この場合、被印刷テープ２１の巻き戻しを必要とするカラー印刷用のテープカセット４、６の各テープ供給リール２２は、図１１（ａ）および図１２（ａ）に示すように、筒軸４０内にテープ巻戻軸１２の軸部３０が挿入するガイド筒４２が設けられ、このガイド筒４２の内面に軸部３０の係合溝３５が係合する係止突起（係止部）４３が軸方向に沿って設けられた構造になっている。また、被印刷テープ２１の巻き戻しを必要としない黒色印刷用のテープカセット５、７の各テープ供給リール２２は、図１１（ｂ）および図１２（ｂ）に示すように、筒軸４０内に何も設けられておらず、単にテープ巻戻軸１２の軸部３０が筒軸４０内に遊挿する構造になっている。
【００１５】
次に、このような印刷装置を使用する場合について説明する。
まず、カラー印刷をする場合について説明する。この場合には、装置本体１のカセット収納部８に所望のテープカセット、例えばカラー印刷が可能な幅広のテープカセット４を装着する。このときには、テープカセット４のテープ供給リール２２にテープ巻戻軸１２を挿入させ、リボン巻取リール２４にリボン巻取軸１３を挿入させ、かつカセットケース２０の切欠部２６で重なり合った被印刷テープ２１とインクリボン２３を印刷ヘッド１０とプラテンローラ１１との間に配置する。このようにテープカセット４が装着されると、図１３に示すように、テープ巻戻軸１２の軸部３０がテープ供給リール２２の筒軸４０内に設けられたガイド筒４２内に挿入し、軸部３０の係合溝３５がガイド筒４２内の係止突起４３に係合する。
【００１６】
この状態で、モータによってプラテンローラ１１およびリボン巻取軸１３が回転すると、テープ供給リール２２から被印刷テープ２１が繰り出されるとともに、リボン供給リール２４からインクリボン２３が繰り出される。これに同期して印刷ヘッド１０が情報に応じて駆動されると、被印刷テープ２１にインクリボン２３の１つの色のインク、例えば青色インクが順次転写される。そして、１回目の印刷が終了すると、モータの回転によってテープ巻戻軸１２が逆転する。このときには、テープ巻戻軸１２の軸部３０の係合溝３５がテープ供給リール２２のガイド筒４２内の係止突起４３に係合しているので、テープ巻戻軸１２の回転がテープ供給リール２２に伝達され、これによりテープ供給リール２２が回転して印刷された被印刷テープ２１を巻き戻す。この後、再びプラテンローラ１１およびリボン巻取軸１３を回転させて、印刷された被印刷テープ２１およびインクリボン２３を繰り出し、印刷ヘッド１０で被印刷テープ２１の前回印刷された個所にインクリボン２３の前回と異なる色のインク、例えば赤色インクを転写する。この印刷動作を各色インクごとに繰り返し行ない、最後に透明なラミネートを印刷することにより、カラー印刷が終了する。なお、カラー印刷が終了した後は、カッタ装置１４によって印刷された被印刷テープ２１を所定個所で切断する。
【００１６】
次に、通常の黒色印刷をする場合について説明する。この場合には、装置本体１のカセット収納部８に所望のテープカセット、例えば黒色印刷用の幅広のテープカセット５を上述と同様に装着する。このときには、図１４に示すように、テープ巻戻軸１２の軸部３０がテープ供給リール２２の筒軸４０内に非伝達状態で挿入する。すなわち、このテープカセット５は、テープ供給リール２２の筒軸４０内にガイド筒４２や係止突起４３が設けられていないので、テープ巻戻軸１２の軸部３０がテープ供給リール２２の筒軸４０内に接触することなく遊挿する。
この状態で、モータによってプラテンローラ１１およびリボン巻取軸１３が回転すると、上述と同様に、テープ供給リール２２から被印刷テープ２１が繰り出されるとともに、リボン供給リール２４からインクリボン２３が繰り出され、これに同期して印刷ヘッド１０が情報に応じて駆動されると、被印刷テープ２１にインクリボン２３の黒色インクが順次転写され、印刷が行なわれる。この場合には、印刷された被印刷テープ２１を巻き戻す必要がないので、印刷された被印刷テープ２１はそのままカッタ装置１４で切断される。
ところで、印刷が終了したときに、誤ってモータが回転してテープ巻戻軸１２を回転させても、このときには、テープ巻戻軸１２の軸部３０がテープ供給リール２２の筒軸４０内に非伝達状態で遊挿しているので、テープ巻戻軸１２が空転し、テープ供給リール２２が回転させることがないため、被印刷テープ２１が巻き戻されることはない。
【００１７】
なお、上記の説明は、幅広のテープカセット４、５について述べたが、幅狭のテープカセット６、７についても、同様の動作をする。すなわち、装置本体１のカセット収納部８にカラー印刷が可能な幅狭のテープカセット６を装着した場合には、図１５に示すように、テープ巻戻軸１２の軸部３０がテープ供給リール２２の筒軸４０のガイド筒４２内に挿入し、軸部３０の係合溝３５がガイド筒４２内の係止突起４３に係合する。したがって、１つの色インクによる印刷が終了した後に、モータによってテープ巻戻軸１２が回転すると、テープ巻戻軸１２の回転がテープ供給リール２２に伝達され、これによりテープ供給リール２２が回転して印刷された被印刷テープ２１を巻き戻すことができる。
また、装置本体１のカセット収納部８に黒色印刷用の幅狭のテープカセット７を装着した場合には、図１６に示すように、テープ巻戻軸１２の軸部３０がテープ供給リール２２の筒軸４０内に挿入しても、テープ供給リール２２の筒軸４０内にガイド筒４２や係止突起４３が設けられていないので、テープ巻戻軸１２の軸部３０がテープ供給リール２２の筒軸４０内に非伝達状態で遊挿する。したがって、印刷が終了したときに、誤ってモータが回転してテープ巻戻軸１２を回転させても、テープ巻戻軸１２の回転がテープ供給リール２２に伝達されることがなく、テープ巻戻軸１２が空転するので、テープ供給リール２２が回転しないため、被印刷テープ２１が巻き戻されることはない。
【００１８】
このように、この印刷装置では、テープ巻戻軸１２の軸部３０に係合溝３５を軸方向に沿って設け、巻き戻しを必要とするカラー印刷用のテープカセット４、６のテープ供給リール２２の筒軸４０内に軸部３０が挿入するガイド筒４２を設けるとともに、このガイド筒４２内に係合溝３５が係合する係止突起４３を設け、巻き戻しを必要としない通常の黒色印刷用のテープカセット５、７のテープ供給リール２２の筒軸４０内にガイド筒４２や係止突起４３などを設けず、軸部３０が非係合状態で遊挿するようにしたので、巻き戻しを必要とするカラー印刷用のテープカセット４、６を装着したときには、テープ巻戻軸１２の軸部３０の係合溝３５がテープ供給リール２２のガイド筒４２の係止突起４３に係合し、テープ巻戻軸１２の回転をテープ供給リール２２に伝達して被印刷テープ２１を確実に巻き戻すことができ、また巻き戻しを必要としない黒色印刷用のテープカセット５、７を装着したときには、テープ巻戻軸１２の軸部３０がテープ供給リール２２の筒軸４０内に挿入しても、軸部３０が筒軸４０に接触しない非伝達状態であるから、テープ巻戻軸１２が回転しても、その回転がテープ供給リール２２に伝達されず、テープ巻戻軸１２が空転するため、被印刷テープ２１が巻き戻されることはない。
【００１９】
［第２実施形態］
次に、図１７〜図２３を参照して、この発明をカラー印刷が可能な印刷装置に適用した第２実施形態について説明する。なお、第１実施形態と同一部分には同一符号を付し、その説明は省略する。
カセットケース２０内のテープ供給リール２２に挿入するテープ巻戻軸５０は、図１７および図１８に示すように、装置本体１内のシャーシ１５上に回転自在に軸支された回転軸５１と、この回転軸５１にこれと一体的に回転するとともに軸方向にスライド自在に設けられたスライド駒（駆動伝達部材）５２と、このスライド駒５２をテープ供給リール２２に向けて付勢するコイルバネ（付勢部材）５３とからなっている。この場合、回転軸５１の下部には図示しないが、モータの回転が伝達歯車を介して伝達される歯車５５が一体に設けられており、回転軸５１の上部先端にはスライド駒５２の抜けを防止するストッパ部５６が設けられている。また、この回転軸５１の外周面には、軸方向に沿ってカット面５１ａが設けられている。スライド駒５２は、円筒状に形成され、その内面に回転軸５１のカット面５１ａに密接する密接部５２ａが設けられ、この密接部５２ａがカット面５１ａに密接することにより、回転軸５１と一体に回転し、かつ軸方向にスライドする構造になっている。また、このスライド駒５２の外周面には、複数の係合突起（係合部）５７が軸方向に沿って設けられている。コイルバネ５３は、歯車５５とスライド駒５２との間における回転軸５１の外周に巻き付けられている。
【００２０】
テープ巻戻軸５０が挿入するカセットケース２０内のテープ供給リール２２は、図２０〜図２３に示すように構成されている。
すなわち、被印刷テープ２１の巻き戻しを必要とするカラー印刷用のテープカセット４、６のうち、幅広のテープカセット４のテープ供給リール２２の筒軸４０ａは、図２０に示すように、スライド駒５２が挿入可能な大径に形成され、その内面における上部付近つまりカセットケース２０の上面から下側に一定距離ｔだけ離れた位置付近にスライド駒５２の係合突起５７が係合する係止突起（係止部）６０ａが軸方向に沿って設けられている。また、幅狭のテープカセット６のテープ供給リール２２の筒軸４０ｂは、図２２に示すように、スライド駒５２が挿入可能な大径に形成され、その内面の中間部つまりカセットケース２０の上面から下側に一定距離ｔだけ離れた位置付近にスライド駒５２の係合突起５７が係合する係止突起（係止部）６０ｂが軸方向に沿って設けられている。したがって、各テープカセット４、６は、カセット収納部８に配置された状態では筒軸４０ａの係止突起６０ａと筒軸４０ｂの係止突起６０ｂとがほぼ同じ高さになる。
また、被印刷テープ２１の巻き戻しを必要としない通常の黒色印刷用のテープカセット５、７のうち、幅広のテープカセット５のテープ供給リール２２の筒軸４０ｃは、図２１に示すように、中間部から下側がスライド駒５２の挿入を可能にする大径部６１ａに形成され、中間部から上側がストッパ部５６を含む回転軸５１の挿入が可能な小径部６１ｂに形成された構造になっている。また、幅狭のテープカセット７のテープ供給リール２２の筒軸４０ｄは、図２３に示すように、ストッパ部５６を含む回転軸５１が挿入可能な小径に形成されている。
【００２１】
次に、このような印刷装置に各テープカセット４〜７を装着した場合について説明する。
まず、幅広のテープカセット４、５のうち、カラー印刷用のテープカセット４を装置本体１のカセット収納部８に装着した場合には、図２０に示すように、テープ巻戻軸５０のスライド駒５２がコイルバネ５３のバネ力で押し上げられた状態でテープ供給リール２２の筒軸４０ａ内に挿入し、スライド駒５２の係合突起５７が筒軸４０ａ内の係止突起６０ａに係合する。したがって、第１実施形態と同様、１つの色のインクによる印刷が終了した後に、モータによってテープ巻戻軸５０が回転すると、テープ巻戻軸５０の回転がテープ供給リール２２に伝達され、これによりテープ供給リール２２が回転して、印刷された被印刷テープ２１を巻き戻すことができる。
【００２２】
また、幅広の黒色印刷用のテープカセット５を装置本体１のカセット収納部８に装着した場合には、図２１に示すように、テープ巻戻軸５０の回転軸５１がテープ供給リール２２の筒軸４０ｃの下側の大径部６１ａを通って上側の小径部６１ｂ内に挿入するが、スライド駒５２は小径部６１ｂの下端縁に当接してコイルバネ５３のバネ力に抗して下側の大径部６１ａ内に配置される。この状態では、大径部６１ａ内に係止突起６０ａ、６０ｂなどが設けられていないので、テープ巻戻軸５０がテープ供給リール２２の筒軸４０ｃに対して非伝達状態となる。したがって、印刷が終了したときに、誤ってモータが回転してテープ巻戻軸５０を回転させても、テープ巻戻軸５０の回転がテープ供給リール２２に伝達されないから、テープ巻戻軸５０が空転し、テープ供給リール２２が回転することがないため、被印刷テープ２１を巻き戻すことはない。
【００２３】
また、幅狭のテープカセット６、７のうち、カラー印刷用のテープカセット６を装置本体１のカセット収納部８に装着した場合には、図２２に示すように、テープ巻戻軸５０のスライド駒５２がコイルバネ５３のバネ力で押し上げられた状態でテープ供給リール２２の筒軸４０ａ内に挿入し、スライド駒５２の係合突起５７が筒軸４０ａ内の係止突起６０ａに係合する。したがって、上記と同様、１つの色のインクによる印刷が終了した後に、モータによってテープ巻戻軸５０が回転すると、テープ巻戻軸５０の回転がテープ供給リール２２に伝達され、これによりテープ供給リール２２が回転して、印刷された被印刷テープ２１を巻き戻すことができる。
【００２４】
さらに、幅狭の黒色印刷用のテープカセット７を装置本体１のカセット収納部８に装着した場合には、図２３に示すように、テープ巻戻軸５０の回転軸５１のみがテープ供給リール２２の小径の筒軸４０ｂ内に挿入するが、スライド駒５２はテープ供給リール２２の筒軸４０ｃの下端縁に当接し、コイルバネ５３のバネ力に抗して筒軸４０ｃの下側に配置され、テープ巻戻軸５０がテープ供給リール２２の筒軸４０ｃに対して非伝達状態となる。したがって、印刷が終了したときに、誤ってモータが回転してテープ巻戻軸５０を回転させても、テープ巻戻軸５０の回転がテープ供給リール２２に伝達されないから、テープ巻戻軸５０が空転し、テープ供給リール２２が回転することがないため、被印刷テープ２１を巻き戻すことはない。
【００２５】
このように、この印刷装置では、テープ巻戻軸５０を、モータによって回転する回転軸５１と、この回転軸５１にこれと一体的に回転するとともに軸方向にスライド自在に設けられて外周面に係合突起５６が設けられたスライド駒５２と、このスライド駒５２をテープ供給リール２２に向けて付勢するコイルバネ５３とで構成し、被印刷テープ２１の巻き戻しを必要とするカラー印刷用のテープカセット４、６のテープ供給リール２２の各筒軸４０ａ、４０ｂ内に係合突起５６が係合する係止突起６０ａ、６０ｂを設け、被印刷テープ２１の巻き戻しを必要としない通常の黒色印刷用のテープカセット５、７のテープ供給リール２２の各筒軸４０ｃ、４０ｄを回転軸５１のみが挿入する小径部を有する形状に形成したので、被印刷テープ２１の巻き戻しを必要とするカラー印刷用のテープカセット４、６を装着したときには、テープ供給リール２２の各筒軸４０ａ、４０ｂ内にスライド駒５２が挿入してスライド駒５２の係合突起５６が筒軸４０ａ、４０ｂ内の各係止突起６０ａ、６０ｂに係合し、テープ巻戻軸５０の回転をテープ供給リール２２に伝達して被印刷テープ２１を確実に巻き戻すことができ、また被印刷テープ２１の巻き戻しを必要としない黒色印刷用のテープカセット５、７を装着したときには、回転軸５１がテープ供給リール２２の各筒軸４０ｃ、４０ｄの小径部分に挿入するが、スライド駒５２はコイルバネ５３のバネ力に抗して小径部分から外に押し出されて、テープ巻戻軸５２とテープ供給リール２２とが非伝達状態となるため、テープ巻戻軸５０が回転しても、その回転がテープ供給リール２２に伝達されず、被印刷テープ２１を巻き戻することはない。
【００２６】
なお、上記第１、第２実施形態では、カラー印刷が可能な印刷装置に適用した場合について述べたが、これに限らず、録音や録画などの磁気テープを用いる電子機器にも広く適用することができる。
【００２７】
【発明の効果】
以上説明したように、この発明によれば、第１のテープカセットが装着された場合に、この第１のテープカセット内のテープ供給リールに対し巻き戻し駆動力が伝達可能な状態となるように係合し、第２のテープカセットが装着された場合に、この第２のテープカセット内のテープ供給リールに対し巻き戻し駆動力が非伝達状態となるようになしたテープ巻戻機構を備えたから、第１のテープカセットを装着したときには、テープ巻戻機構が第１のテープカセットのテープ供給リールに対し巻き戻し駆動力が伝達可能な状態となり、駆動源からの巻き戻し駆動力によってテープ巻戻機構が駆動されると、その駆動力がテープ供給リールに伝達されるため、テープを確実に巻き戻すことができ、また第２のテープカセットを装着したときには、テープ巻戻機構が第２のテープカセットのテープ供給リールに対し巻き戻し駆動力が非伝達状態となり、駆動源からの巻き戻し駆動力によってテープ巻戻機構が駆動されても、その駆動力がテープ供給リールに伝達されないため、誤ってテープを巻き戻すことがない。
【図面の簡単な説明】
【図１】この発明を適用したカラー印刷が可能な印刷装置の第１実施形態の外観斜視図。
【図２】図１の装置本体にテープカセットを装着した要部平面図。
【図３】幅広のテープカセットの外観斜視図。
【図４】幅狭のテープカセットの外観斜視図。
【図５】図２のＡ−Ａ断面を示し、（ａ）は幅広のテープカセットを装着した状態の要部断面図、（ｂ）は幅狭のテープカセットを装着した状態の要部断面図。
【図６】テープ巻戻軸の外観斜視図。
【図７】図６の分解斜視図。
【図８】図６のテープ巻戻軸を装置本体内のシャーシ上に取り付けた状態の側面図。
【図９】図８の要部拡大図。
【図１０】被印刷テープが巻かれたテープ供給リールの斜視図。
【図１１】図１０のテープ供給リールを上から見た状態を示し、（ａ）はカラー印刷用のテープカセットに組み込まれるテープ供給リールの平面図、（ｂ）は通常の黒色印刷用のテープカセットに組み込まれるテープ供給リールの平面図。
【図１２】図１０のテープ供給リールの断面を示し、（ａ）はカラー印刷用のテープカセットに組み込まれるテープ供給リールの断面図、（ｂ）は通常の黒色印刷用のテープカセットに組み込まれるテープ供給リールの断面図。
【図１３】幅広のカラー印刷用のテープカセットを装着した状態の断面図。
【図１４】幅広の通常の黒色印刷用のテープカセットを装着した状態の断面図。
【図１５】幅狭のカラー印刷用のテープカセットを装着した状態の断面図。
【図１６】幅狭の通常の黒色印刷用のテープカセットを装着した状態の断面図。
【図１７】この発明を適用したカラー印刷が可能な印刷装置に組み込まれたテープ巻戻軸の第２実施形態を示す斜視図。
【図１８】図１７の側面図。
【図１９】図１８のＢ−Ｂ断面図。
【図２０】幅広のカラー印刷用のテープカセットを装着した状態の要部断面図。
【図２１】幅広の通常の黒色印刷用のテープカセットを装着した状態の要部断面図。
【図２２】幅狭のカラー印刷用のテープカセットを装着した状態の要部断面図。
【図２３】幅狭の通常の黒色印刷用のテープカセットを装着した状態の要部断面図。
【符号の説明】
１  装置本体
４〜７  テープカセット
８  カセット収納部
１２、５０  テープ巻戻軸
２１  被印刷テープ
２２  テープ供給リール
３０  軸部
３５  係合溝
４０、４０ａ、４０ｂ、４０ｃ、４０ｄ  筒軸
４３、６０ａ、６０ｂ  係止突起
５１  回転軸
５１ａ  カット面
５２  スライド駒
５２ａ  密着部
５３  コイルバネ
５６  係合突起
６１ａ  大径部
６１ｂ  小径部
【図１】
0003612819.tif 000002
【図２】
0003612819.tif 000003
【図３】
0003612819.tif 000004
【図４】
0003612819.tif 000005
【図５】
0003612819.tif 000006
【図６】
0003612819.tif 000007
【図７】
0003612819.tif 000008
【図８】
0003612819.tif 000009
【図９】
0003612819.tif 000010
【図１０】
0003612819.tif 000011
【図１１】
0003612819.tif 000012
【図１２】
0003612819.tif 000013
【図１３】
0003612819.tif 000014
【図１４】
0003612819.tif 000015
【図１５】
0003612819.tif 000016
【図１６】
0003612819.tif 000017
【図１７】
0003612819.tif 000018
【図１８】
0003612819.tif 000019
【図１９】
0003612819.tif 000020
【図２０】
0003612819.tif 000021
【図２１】
0003612819.tif 000022
【図２２】
0003612819.tif 000023
【図２３】
0003612819.tif 000024